(57)【要約】【課題】ユーザの満足度を向上させる表示を行う。【解決手段】表示機能付きミラー装置は、マジックミラー部と、マジックミラー部の後側に配置された表示部と、マジックミラー部の後側に配置され、マジックミラー部の前側に位置するユーザの画像を撮像するカメラ部と、カメラ部が撮像した画像に基づいて表示部を制御する制御部とを備え、制御部は、カメラ部が撮像した画像にユーザがミラー装置を利用する姿が含まれるか否かを判定する第１判定部と、ユーザによって行われる表示部の表示内容を変更するための特定の動作が、カメラ部によって撮像された画像に含まれるか否かを判定する第２判定部とを備え、制御部は、カメラ部が撮像した画像にユーザがミラー装置を利用する姿が含まれると第１判定部が判定した後、カメラ部が撮像した画像にユーザによるその特定の動作が含まれると第２判定部が判定した場合に、表示部による表示の変更を行う。【選択図】図２
2019039084.tif 000002
【特許請求の範囲】
【請求項１】
マジックミラー部と、
前記マジックミラー部の後側に配置された表示部とを備える表示機能付きミラー装置であって、
前記マジックミラー部の前側に位置するユーザの画像を撮像するカメラ部と、
前記カメラ部が撮像した画像に基づいて、前記表示部を制御する制御部とを更に備え、
前記カメラ部は、前記マジックミラー部の後側に配置され、
前記制御部は、
前記カメラ部が撮像した画像にユーザが前記ミラー装置を利用する姿が含まれるか否かを判定する第１判定部と、
ユーザによって行われる前記表示部の表示内容を変更するための特定の動作が、前記カメラ部によって撮像された画像に含まれるか否かを判定する第２判定部とを備え、
前記制御部は、前記カメラ部が撮像した画像にユーザが前記ミラー装置を利用する姿が含まれると前記第１判定部が判定した後、前記カメラ部が撮像した画像にユーザによる前記特定の動作が含まれると前記第２判定部が判定した場合に、前記表示部による表示の変更を行う、
表示機能付きミラー装置。
【請求項２】
前記第１判定部は、ユーザが前記マジックミラー部の前で所定時間以上立ち止まった場合に、前記カメラ部が撮像した画像にユーザが前記ミラー装置を利用する姿が含まれると判定する、
請求項１に記載の表示機能付きミラー装置。
【請求項３】
前記制御部は、前記カメラ部が撮像したユーザの画像に基づいて、ユーザが着用している服装を認識し、ユーザが着用している服装に合ったおすすめコーディネートまたはおすすめ類似商品を前記表示部に表示させる、
請求項１または請求項２に記載の表示機能付きミラー装置。
【請求項４】
前記制御部は、前記カメラ部が撮像したユーザの画像に基づいて、正面の顔と横顔との違いを認識し、
前記制御部は、
前記カメラ部がユーザの正面の顔を撮像した場合に、そのユーザに対するおすすめコーディネートまたはおすすめ類似商品を前記表示部に表示させ、
前記カメラ部がユーザの横顔を撮像した場合に、そのユーザに対する広告を前記表示部に表示させる、
請求項１から請求項３のいずれか一項に記載の表示機能付きミラー装置。
【請求項５】
前記マジックミラー部の前側に位置するＩＣタグに格納された情報を読み取るリーダー部を更に備え、
前記制御部は、前記リーダー部が読み取った情報と、前記カメラ部が撮像した画像とに基づいて、前記表示部を制御し、
前記表示部は、前記カメラ部が撮像した画像にユーザが前記ミラー装置を利用する姿が含まれると前記第１判定部が判定した場合に、前記ＩＣタグを前記リーダー部の前側の位置に誘導する案内表示を行い、
前記ＩＣタグは、商品に取り付けられており、
前記ＩＣタグが前記リーダー部の前側に配置されることにより、前記ＩＣタグに格納された情報が、前記リーダー部によって読み取られた場合に、前記表示部は、前記商品が着用されている状況を示す画像であるスタイリング画像および／または前記商品を着用した他のユーザによるレビューを示すレビュー情報を表示する、
請求項１から請求項４のいずれか一項に記載の表示機能付きミラー装置。
【請求項６】
前記カメラ部は、ユーザの頭部よりも上側に配置され、
前記カメラ部の光軸は、水平方向よりも下向きに設定されている、
請求項１から請求項４のいずれか一項に記載の表示機能付きミラー装置。
【請求項７】
前記制御部は、
前記カメラ部が撮像した画像に基づいて、前記カメラ部が撮像した画像に含まれるユーザの性別および年齢を推定する第１推定部と、
前記カメラ部が撮像した画像に基づいて、前記カメラ部が撮像した画像に含まれるユーザの体形を推定する第２推定部とを更に備え、
前記表示部は、
前記第１推定部によって推定された性別および年齢のユーザに対するおすすめコーディネートまたはおすすめ類似商品を表示し、
前記第２推定部によって推定された体形のユーザに対するおすすめサイズを表示する、
請求項５または請求項６に記載の表示機能付きミラー装置。
【請求項８】
前記制御部は、
前記カメラ部によって撮像されたユーザの画像と、前記商品の画像とを合成する合成部を更に備え、
前記表示部は、前記商品がユーザによって着用されている状況を示す合成画像を表示する、
請求項５に記載の表示機能付きミラー装置。
【請求項９】
ユーザが前記商品を着用するシーンまたはユーザの希望予算に関する情報の入力を受け付ける入力部を更に備え、
前記表示部は、前記入力部に入力された情報に基づいて、ユーザに対するおすすめコーディネートまたはおすすめ類似商品を表示し、
前記入力部は、店員による接客を要求するユーザからの要求を受け付け、
前記入力部が、店員による接客を要求するユーザからの要求を受け付けた場合に、ユーザからの要求があった旨を店員に報知する報知部を更に備える、
請求項５または請求項８に記載の表示機能付きミラー装置。
【請求項１０】
前記カメラ部が撮像した画像にユーザが前記ミラー装置を利用する姿が含まれると前記第１判定部が判定した場合に、コーディネートまたはショッピングに関するユーザからの悩み相談に対応するカウンセリング機能部を更に備え、
前記カウンセリング機能部は、
ユーザとの会話を行う、あるいは、ユーザによる操作入力を受け付けるユーザインタフェース部を備える、
請求項９に記載の表示機能付きミラー装置。
【請求項１１】
前記表示部は、店内マップを表示し、
前記入力部は、おすすめコーディネートまたはおすすめ類似商品、おすすめサイズ、前記カウンセリング機能部によるカウンセリング、または、おすすめコーディネートまたはおすすめ類似商品の情報が役に立ったか否かのユーザによる評価の入力を受け付け、
ユーザによる評価の内容を学習する学習部を更に備え、
前記学習部は、ユーザによる評価の内容の学習結果を次回以降のおすすめコーディネートまたはおすすめ類似商品、おすすめサイズ、前記カウンセリング機能部によるカウンセリング、または、おすすめコーディネートまたはおすすめ類似商品の情報の生成に反映させる、
請求項１０に記載の表示機能付きミラー装置。
【請求項１２】
請求項８に記載の表示機能付きミラー装置と、サーバ装置とを備えるシステムであって、
前記表示機能付きミラー装置と、前記サーバ装置とは、相互に接続されており、
前記ＩＣタグが取り付けられている前記商品と同一の商品の在庫状況は、前記サーバ装置の記憶部に記憶されており、
前記ＩＣタグに格納された情報が、前記リーダー部によって読み取られた場合に、
前記制御部は、前記同一の商品の在庫状況を前記記憶部から取得し、
前記表示部は、前記同一の商品の在庫状況を表示し、
前記記憶部には、在庫がない商品の画像が記憶されており、
前記制御部は、前記在庫がない商品の画像を前記記憶部から取得し、
前記合成部は、前記カメラ部によって撮像されたユーザの画像と、前記在庫がない商品の画像とを合成し、
前記表示部は、前記在庫がない商品がユーザによって着用されている状況を示す合成画像を表示する、
システム。
【請求項１３】
ユーザが、前記商品の販売店の公式アプリをダウンロードした端末装置を所持する場合に、前記リーダー部は、前記ＩＣタグに格納された情報を読み取り、かつ、前記カメラ部は、前記端末装置のディスプレイに表示された前記公式アプリの会員証情報を読み取り、
前記表示機能付きミラー装置と、前記端末装置とは、ネットワークを介して相互に接続されており、
前記表示部に表示される画像およびレビュー情報は、前記記憶部に記憶され、
前記端末装置は、前記記憶部から取得した画像およびレビュー情報を、前記ディスプレイに表示可能に構成されている、
請求項１２に記載のシステム。
【請求項１４】
前記表示機能付きミラー装置は、ゲーム機能を備え、
前記表示部は、前記カメラ部が撮像した画像にユーザが前記ミラー装置を利用する姿が含まれると前記第１判定部が判定した場合に、ゲームの画面を表示し、
ユーザが前記ゲームをプレイした場合に、前記サーバ装置は、ネットワークを介して前記端末装置にクーポンまたはインセンティブを送信する、
請求項１３に記載のシステム。
【請求項１５】
レジ端末と、前記サーバ装置とは、相互に接続されており、
前記レジ端末において購入された商品の情報は、購入履歴情報として前記記憶部に記憶されており、
前記カメラ部が、前記ディスプレイに表示された前記公式アプリの会員証情報を読み取った場合に、前記サーバ装置の処理部は、購入履歴情報に基づいて、その会員に対するおすすめ商品の情報であるレコメンド情報を生成し、
前記表示部は、前記処理部によって生成されたレコメンド情報を表示し、
前記ＩＣタグに格納された情報が、前記リーダー部によって読み取られた場合に、
前記制御部は、前記ＩＣタグが取り付けられている前記商品と同一の商品の購入履歴情報を前記記憶部から取得し、
前記表示部は、前記同一の商品の購入者数をリアルタイム情報として表示し、
前記ＩＣタグに格納された情報が、前記リーダー部によって読み取られる毎に、前記ＩＣタグに格納された情報が前記リーダー部によって読み取られたことを示す情報が、前記記憶部に記憶され、
前記ＩＣタグに格納された情報が、前記リーダー部によって読み取られた場合に、
前記制御部は、前記ＩＣタグに格納された情報が前記リーダー部によって過去に読み取られた回数を前記記憶部から取得し、
前記表示部は、前記ＩＣタグに格納された情報が前記リーダー部によって過去に読み取られた回数をリアルタイム情報として表示する、
請求項１３または請求項１４に記載のシステム。
【発明の詳細な説明】
【技術分野】
【０００１】
本発明は、表示機能付きミラー装置およびシステムに関する。
【背景技術】
【０００２】
従来、ハーフミラーおよびその背面側に設けられた表示デバイスを備えた装置が知られている（例えば特許文献１参照）。特許文献１に記載された装置では、ハーフミラーの前方に位置するユーザを撮影するカメラが、表示デバイスの上方に備えられている。
【先行技術文献】
【特許文献】
【０００３】
【特許文献１】特開２０１０−７０８８９号公報
【発明の概要】
【発明が解決しようとする課題】
【０００４】
ところで、特許文献１に記載された装置では、ユーザが何を要求しているかの判定が行われない。そのため、特許文献１に記載された装置では、ユーザの満足度を向上させる表示を行うことができないおそれがある。
【０００５】
本発明は、このような事情に鑑みてなされたものであり、ユーザの満足度を向上させる表示を行うことができる表示機能付きミラー装置およびシステムを提供することを目的とする。
【課題を解決するための手段】
【０００６】
本発明の一態様は、マジックミラー部と、前記マジックミラー部の後側に配置された表示部とを備える表示機能付きミラー装置であって、前記マジックミラー部の前側に位置するユーザの画像を撮像するカメラ部と、前記カメラ部が撮像した画像に基づいて、前記表示部を制御する制御部とを更に備え、前記カメラ部は、前記マジックミラー部の後側に配置され、前記制御部は、前記カメラ部が撮像した画像にユーザが前記ミラー装置を利用する姿が含まれるか否かを判定する第１判定部と、ユーザによって行われる前記表示部の表示内容を変更するための特定の動作が、前記カメラ部によって撮像された画像に含まれるか否かを判定する第２判定部とを備え、前記制御部は、前記カメラ部が撮像した画像にユーザが前記ミラー装置を利用する姿が含まれると前記第１判定部が判定した後、前記カメラ部が撮像した画像にユーザによる前記特定の動作が含まれると前記第２判定部が判定した場合に、前記表示部による表示の変更を行う、表示機能付きミラー装置である。
【０００７】
本発明の一態様の表示機能付きミラー装置では、前記第１判定部は、ユーザが前記マジックミラー部の前で所定時間以上立ち止まった場合に、前記カメラ部が撮像した画像にユーザが前記ミラー装置を利用する姿が含まれると判定してもよい。
【０００８】
本発明の一態様の表示機能付きミラー装置では、前記制御部は、前記カメラ部が撮像したユーザの画像に基づいて、ユーザが着用している服装を認識し、ユーザが着用している服装に合ったおすすめコーディネートまたはおすすめ類似商品を前記表示部に表示させてもよい。
【０００９】
本発明の一態様の表示機能付きミラー装置では、前記制御部は、前記カメラ部が撮像したユーザの画像に基づいて、正面の顔と横顔との違いを認識し、前記制御部は、前記カメラ部がユーザの正面の顔を撮像した場合に、そのユーザに対するおすすめコーディネートまたはおすすめ類似商品を前記表示部に表示させ、前記カメラ部がユーザの横顔を撮像した場合に、そのユーザに対する広告を前記表示部に表示させてもよい。
【００１０】
本発明の一態様の表示機能付きミラー装置では、前記マジックミラー部の前側に位置するＩＣタグに格納された情報を読み取るリーダー部を更に備え、前記制御部は、前記リーダー部が読み取った情報と、前記カメラ部が撮像した画像とに基づいて、前記表示部を制御し、前記表示部は、前記カメラ部が撮像した画像にユーザが前記ミラー装置を利用する姿が含まれると前記第１判定部が判定した場合に、前記ＩＣタグを前記リーダー部の前側の位置に誘導する案内表示を行い、前記ＩＣタグは、商品に取り付けられており、前記ＩＣタグが前記リーダー部の前側に配置されることにより、前記ＩＣタグに格納された情報が、前記リーダー部によって読み取られた場合に、前記表示部は、前記商品が着用されている状況を示す画像であるスタイリング画像および／または商品を着用した他のユーザによるレビューを示すレビュー情報を表示してもよい。
【００１１】
本発明の一態様の表示機能付きミラー装置では、前記カメラ部は、ユーザの頭部よりも上側に配置され、前記カメラ部の光軸は、水平方向よりも下向きに設定されていてもよい。
【００１２】
本発明の一態様の表示機能付きミラー装置では、前記制御部は、前記カメラ部が撮像した画像に基づいて、前記カメラ部が撮像した画像に含まれるユーザの性別および年齢を推定する第１推定部と、前記カメラ部が撮像した画像に基づいて、前記カメラ部が撮像した画像に含まれるユーザの体形を推定する第２推定部とを更に備え、前記表示部は、前記第１推定部によって推定された性別および年齢のユーザに対するおすすめコーディネートまたはおすすめ類似商品を表示し、前記第２推定部によって推定された体形のユーザに対するおすすめサイズを表示してもよい。
【００１３】
本発明の一態様の表示機能付きミラー装置では、前記制御部は、前記カメラ部によって撮像されたユーザの画像と、前記商品の画像とを合成する合成部を更に備え、前記表示部は、前記商品がユーザによって着用されている状況を示す合成画像を表示してもよい。
【００１４】
本発明の一態様の表示機能付きミラー装置では、ユーザが前記商品を着用するシーンまたはユーザの希望予算に関する情報の入力を受け付ける入力部を更に備え、前記表示部は、前記入力部に入力された情報に基づいて、ユーザに対するおすすめコーディネートまたはおすすめ類似商品を表示し、前記入力部は、店員による接客を要求するユーザからの要求を受け付け、前記入力部が、店員による接客を要求するユーザからの要求を受け付けた場合に、ユーザからの要求があった旨を店員に報知する報知部を更に備えてもよい。
【００１５】
本発明の一態様の表示機能付きミラー装置では、前記カメラ部が撮像した画像にユーザが前記ミラー装置を利用する姿が含まれると前記第１判定部が判定した場合に、コーディネートまたはショッピングに関するユーザからの悩み相談に対応するカウンセリング機能部を更に備え、前記カウンセリング機能部は、ユーザとの会話を行う、あるいは、ユーザによる操作入力を受け付けるユーザインタフェース部を備えてもよい。
【００１６】
本発明の一態様の表示機能付きミラー装置では、前記表示部は、店内マップを表示し、前記入力部は、おすすめコーディネートまたはおすすめ類似商品、おすすめサイズ、前記カウンセリング機能部によるカウンセリング、または、おすすめコーディネートまたはおすすめ類似商品の情報が役に立ったか否かのユーザによる評価の入力を受け付け、ユーザによる評価の内容を学習する学習部を更に備え、前記学習部は、ユーザによる評価の内容の学習結果を次回以降のおすすめコーディネートまたはおすすめ類似商品、おすすめサイズ、前記カウンセリング機能部によるカウンセリング、または、おすすめコーディネートまたはおすすめ類似商品の情報の生成に反映させてもよい。
【００１７】
本発明の一態様は、前記表示機能付きミラー装置と、サーバ装置とを備えるシステムであって、前記表示機能付きミラー装置と、前記サーバ装置とは、相互に接続されており、前記ＩＣタグが取り付けられている前記商品と同一の商品の在庫状況は、前記サーバ装置の記憶部に記憶されており、前記ＩＣタグに格納された情報が、前記リーダー部によって読み取られた場合に、前記制御部は、前記同一の商品の在庫状況を前記記憶部から取得し、前記表示部は、前記同一の商品の在庫状況を表示し、前記記憶部には、在庫がない商品の画像が記憶されており、前記制御部は、前記在庫がない商品の画像を前記記憶部から取得し、前記合成部は、前記カメラ部によって撮像されたユーザの画像と、前記在庫がない商品の画像とを合成し、前記表示部は、前記在庫がない商品がユーザによって着用されている状況を示す合成画像を表示する、システムである。
【００１８】
本発明の一態様のシステムでは、ユーザが、前記商品の販売店の公式アプリをダウンロードした端末装置を所持する場合に、前記リーダー部は、前記ＩＣタグに格納された情報を読み取り、かつ、前記カメラ部は、前記端末装置のディスプレイに表示された前記公式アプリの会員証情報を読み取り、前記表示機能付きミラー装置と、前記端末装置とは、ネットワークを介して相互に接続されており、前記表示部に表示される画像およびレビュー情報は、前記記憶部に記憶され、前記端末装置は、前記記憶部から取得した画像およびレビュー情報を、前記ディスプレイに表示可能に構成されていてもよい。
【００１９】
本発明の一態様のシステムでは、前記表示機能付きミラー装置は、ゲーム機能を備え、前記表示部は、前記カメラ部が撮像した画像にユーザが前記ミラー装置を利用する姿が含まれると前記第１判定部が判定した場合に、ゲームの画面を表示し、ユーザが前記ゲームをプレイした場合に、前記サーバ装置は、ネットワークを介して前記端末装置にクーポンまたはインセンティブを送信してもよい。
【００２０】
本発明の一態様のシステムでは、レジ端末と、前記サーバ装置とは、相互に接続されており、前記レジ端末において購入された商品の情報は、購入履歴情報として前記記憶部に記憶されており、前記カメラ部が、前記ディスプレイに表示された前記公式アプリの会員証情報を読み取った場合に、前記サーバ装置の処理部は、購入履歴情報に基づいて、その会員に対するおすすめ商品の情報であるレコメンド情報を生成し、前記表示部は、前記処理部によって生成されたレコメンド情報を表示し、前記ＩＣタグに格納された情報が、前記リーダー部によって読み取られた場合に、前記制御部は、前記ＩＣタグが取り付けられている前記商品と同一の商品の購入履歴情報を前記記憶部から取得し、前記表示部は、前記同一の商品の購入者数をリアルタイム情報として表示し、前記ＩＣタグに格納された情報が、前記リーダー部によって読み取られる毎に、前記ＩＣタグに格納された情報が前記リーダー部によって読み取られたことを示す情報が、前記記憶部に記憶され、前記ＩＣタグに格納された情報が、前記リーダー部によって読み取られた場合に、前記制御部は、前記ＩＣタグに格納された情報が前記リーダー部によって過去に読み取られた回数を前記記憶部から取得し、前記表示部は、前記ＩＣタグに格納された情報が前記リーダー部によって過去に読み取られた回数をリアルタイム情報として表示してもよい。
【発明の効果】
【００２１】
本発明の一態様によれば、ユーザの満足度を向上させる表示を行うことができる表示機能付きミラー装置およびシステムを提供することができる。
【図面の簡単な説明】
【００２２】
【図１】第１実施形態の表示機能付きミラー装置の機能構成の一例を示す図である。
【図２】第１実施形態の表示機能付きミラー装置の正面図などである。
【図３】図２（Ｂ）の一部の拡大図である。
【図４】第１実施形態の表示機能付きミラー装置によって行われる処理を説明するためのフローチャートである。
【図５】表示部が行う案内表示の一例を示す図である。
【図６】表示部によって表示されるスタイリング画像およびレビュー情報の一例を示す図である。
【図７】シェア画像の一例を示す図である。
【図８】第２実施形態の表示機能付きミラー装置が適用されたシステムＳの機能構成の一例を示す図である。
【発明を実施するための形態】
【００２３】
以下、図面を参照し、本発明の表示機能付きミラー装置の実施形態について説明する。
【００２４】
［第１実施形態］
図１は第１実施形態の表示機能付きミラー装置１の機能構成の一例を示す図である。図２は第１実施形態の表示機能付きミラー装置１の正面図などである。詳細には、図２（Ａ）は第１実施形態の表示機能付きミラー装置１の正面図、図２（Ｂ）は第１実施形態の表示機能付きミラー装置１の右側面図である。図３は図２（Ｂ）の一部の拡大図である。
【００２５】
図１〜図３に示す例では、表示機能付きミラー装置１が、マジックミラー部１１と、表示部１２と、リーダー部１３と、カメラ部１４と、制御部１５とを備えている。マジックミラー部１１は、入射光の一部を反射し、一部を透過させる反射鏡である。表示部１２による表示が行われない場合、マジックミラー部１１の前側（図２（Ｂ）の左側）に位置するユーザＵは、マジックミラー部１１に映った自分の姿を視認することができる。マジックミラー部１１には、切り欠き部（貫通穴）１１Ａが形成されている。
【００２６】
表示部１２は、例えば液晶ディスプレイ、プラズマディスプレイ、有機ＥＬ（Electroluminescence）ディスプレイなどのようなディスプレイであり、例えば画像、文字などの表示を行う。表示部１２は、マジックミラー部１１の後側（図２（Ｂ）の右側）に配置されている。
【００２７】
リーダー部１３は、例えばユーザＵが持っている商品（図示せず）に取り付けられているＩＣ（Integrated Circuit）タグ（図示せず）に格納された情報を読み取る。リーダー部１３が読み取った情報は、制御部１５に送られる。リーダー部１３は、例えばマジックミラー部１１の後側に配置されている。
図１〜図３に示す例では、表示機能付きミラー装置１がリーダー部１３を備えているが、他の例では、表示機能付きミラー装置１がリーダー部１３を備えていなくてもよい。
【００２８】
カメラ部１４は、マジックミラー部１１の切り欠き部１１Ａを介して、マジックミラー部１１の前側に位置するユーザＵの顔、手、足などの画像を撮像する。カメラ部１４が撮像した画像のデータは、制御部１５に送られる。カメラ部１４は、マジックミラー部１１の後側に配置されている。また、カメラ部１４が、ユーザＵの頭部よりも上側（図２（Ａ）および図２（Ｂ）の上側）に配置されている。図３に示すように、カメラ部１４の光軸１４Ｌは、水平方向よりも下向きに設定されている。
【００２９】
制御部１５は、リーダー部１３が読み取った情報と、カメラ部１４が撮像した画像とに基づいて、表示部１２を制御する。制御部１５は、第１判定部１５Ａと、第２判定部１５Ｂと、第３判定部１５Ｃと、スクロール制御部１５Ｄとを備えている。第１判定部１５Ａは、カメラ部１４が撮像した画像に表示機能付きミラー装置１を利用するユーザＵの姿が含まれるか否かを判定する。第１判定部１５Ａは、ユーザＵがマジックミラー部１１の前で所定時間（例えば数秒〜数十秒であって、ユーザＵが表示機能付きミラー装置１を利用しようとしていると判断できる時間）以上立ち止まった場合に、カメラ部１４が撮像した画像にユーザＵが表示機能付きミラー装置１を利用する姿が含まれると判定する。
【００３０】
第２判定部１５Ｂは、ユーザＵによって行われる表示部１２の表示内容を変更するための特定の動作が、カメラ部１４によって撮像された画像に含まれるか否かを判定する。表示部１２の表示内容を変更するための特定の動作とは、例えばパー形状からグー形状へのユーザＵの手の形状の変化、ユーザＵの首の動き、ユーザＵの視線の変化などである。第３判定部１５Ｃは、カメラ部１４が撮像した画像に含まれるユーザＵの手の動きが、表示部１２に表示されている画像、文字などのスクロールを要求する動きであるか否かを判定する。
【００３１】
スクロール制御部１５Ｄは、カメラ部１４が撮像した画像に含まれるユーザＵの手の動きが、表示部１２に表示されている画像、文字などのスクロールを要求する動きであると、第３判定部１５Ｃが判定した場合に、表示部１２に表示されている画像、文字などをスクロールさせる。
【００３２】
図４は第１実施形態の表示機能付きミラー装置１によって行われる処理を説明するためのフローチャートである。図４に示す例では、ステップＳ１において、制御部１５の第１判定部１５Ａは、カメラ部１４が撮像した画像にユーザＵの顔が含まれるか否かを判定する。カメラ部１４が撮像した画像にユーザＵの顔が含まれる場合には、ステップＳ２に進む。カメラ部１４が撮像した画像にユーザＵの顔が含まれない場合には、図４に示すルーチンを終了する。ステップＳ２において、表示部１２は、ユーザＵが持っている商品に取り付けられているＩＣタグをリーダー部１３の前側の位置に誘導する案内表示を行う。
【００３３】
図５は表示部１２が行う案内表示の一例を示す図である。図５に示す例では、図４のステップＳ２において、表示部１２は、図５に示す画像および文字の表示を行う。「商品タグをタグリーダーにふれてください」という文字の表示により、ユーザＵは、持っている商品に取り付けられているＩＣタグを、リーダー部１３の前側に配置すればよいことを理解することができる。また、「タグリーダーはこちら」という文字の表示により、ユーザＵは、リーダー部１３の前側の位置（つまり、ＩＣタグに格納された情報が、リーダー部１３によって読み取られる位置）を理解することができる。また、「パーから手をグーにするとミラーに戻ります」という文字の表示により、ユーザＵは、手の形状を例えばパー形状からグー形状に変化させた場合に、表示部１２による表示が行われる表示状態から、表示部１２による表示が停止されるミラー状態への切り替えが行われることを理解することができる。
【００３４】
図４の説明に戻り、次いで、ステップＳ３において、制御部１５は、リーダー部１３から送られる情報に基づき、ＩＣタグに格納された情報が、リーダー部１３によって読み取られたか否かを判定する。ＩＣタグに格納された情報がリーダー部１３によって読み取られた場合には、ステップＳ４に進む。ＩＣタグに格納された情報がリーダー部１３によって読み取られない場合には、ステップＳ７に進む。
【００３５】
ステップＳ４において、表示部１２は、ユーザＵが持っている商品がファッションモデルによって着用されている状況を示す画像であるスタイリング画像Ａ１と、その商品を着用した他のユーザによるレビューを示すレビュー情報Ａ２とを表示する。
【００３６】
図６は表示部１２によって表示されるスタイリング画像Ａ１およびレビュー情報Ａ２の一例を示す図である。図６に示す例では、スタイリング画像Ａ１に含まれるファッションモデルが着用している商品（つまり、ＩＣタグが取り付けられている商品）は、スカートである。レビュー情報Ａ２には、「その商品を着用した他のユーザのコメント」と、「そのコメントが役に立ったと感じたユーザの数」と、「そのコメントをしたユーザがその商品に対して付けた星の数」と、「レビューを投稿したすべてのユーザがその商品に対して付けた星の数の平均値」と、「そのコメントをしたユーザによるその商品の着用感」と、「そのユーザの年代」と、「そのユーザの性別」と、「そのユーザの身長」と、「そのユーザの体重」と、「そのユーザの足のサイズ」と、「そのユーザが購入したその商品のサイズ」とが、項目として含まれている。
【００３７】
また、図６に示す例では、表示部１２が、スタイリング画像Ａ１およびレビュー情報Ａ２を表示するのみならず、スタイリング画像Ａ１およびレビュー情報Ａ２の表示をスクロールするために必要なユーザＵの動作の説明画像Ａ３を表示する。説明画像Ａ３を見たユーザＵは、パー形状の手を左向きに動かすことによって、スタイリング画像Ａ１およびレビュー情報Ａ２の表示をスクロールできることを理解することができる。
【００３８】
図４の説明に戻り、次いで、ステップＳ５において、第３判定部１５Ｃは、カメラ部１４が撮像した画像に含まれるユーザＵの手の動きが、表示部１２に表示されている画像、文字などのスクロールを要求する動きであるか否かを判定する。ユーザＵの手の動きが、表示部１２に表示されている画像、文字などのスクロールを要求する動きである場合には、ステップＳ６に進む。ユーザＵの手の動きが、表示部１２に表示されている画像、文字などのスクロールを要求する動きでない場合には、ステップＳ７に進む。
【００３９】
ステップＳ６において、スクロール制御部１５Ｄは、表示部１２に表示されている画像、文字などをスクロールさせ、表示部１２は、その商品が他のユーザによって着用されている状況を示す画像であるシェア画像Ａ４を表示する。次いで、ステップＳ７に進む。
【００４０】
図７はシェア画像Ａ４の一例を示す図である。図７に示す例では、シェア画像Ａ４として表示されるユーザの顔にマスキング処理が施されている。例えばユーザＵは、自分の年代、体型などと同様の年代、体型などを有する他のユーザによってその商品が着用されているシェア画像Ａ４を見ることによって、その商品が自分に合う商品であるか否かを容易に判断することができる。
【００４１】
図４の説明に戻り、ステップＳ７において、第２判定部１５Ｂは、ユーザＵによって行われる表示部１２の表示内容を変更するための特定の動作が、カメラ部１４によって撮像された画像に含まれるか否かを判定する。表示部１２の表示内容を変更するための特定の動作が、カメラ部１４によって撮像された画像に含まれる場合には、ステップＳ８に進む。表示部１２の表示内容を変更するための特定の動作が、カメラ部１４によって撮像された画像に含まれない場合には、ステップＳ５に戻る。
【００４２】
ステップＳ８において、制御部１５は、表示部１２による表示が行われる表示状態から、表示部１２による表示が停止されるミラー状態への切り替え（表示部１２による表示の変更）を行う。
図４に示す例では、上述したように、表示部１２の表示内容を変更するための特定の動作が、カメラ部１４によって撮像された画像に含まれる場合に、制御部１５は、表示部１２による表示が行われる表示状態から、表示部１２による表示が停止されるミラー状態への切り替えを行う。他の例では、代わりに、表示部１２の表示内容を変更するための特定の動作が、カメラ部１４によって撮像された画像に含まれる場合に、制御部１５は、コーディネート例として映し出された複数のスタイリング情報の切り替えを表示部１２に行わせてもよい。また、更にに他の例では、表示部１２の表示内容を変更するための特定の動作が、カメラ部１４によって撮像された画像に含まれる場合に、制御部１５は、ユーザＵが別のスタイリング情報を見ることができるように、表示の切り替えを表示部１２に行わせてもよい。
【００４３】
図４に示す例では、上述したように、ステップＳ４において、表示部１２は、スタイリング画像Ａ１とレビュー情報Ａ２とを表示する。他の例では、代わりに、ステップＳ４において、表示部１２がスタイリング画像Ａ１のみを表示し、スクロール制御部１５Ｄがスクロールを行った場合に、表示部１２がレビュー情報Ａ２を表示してもよい。また、スクロール制御部１５Ｄがスクロールを行う毎に、表示部１２が、スタイリング画像Ａ１とレビュー情報Ａ２とを交互に表示してもよい。
【００４４】
表示機能付きミラー装置１がリーダー部１３を備えていない例では、表示機能付きミラー装置１がＩＣタグに格納された情報を把握しないため、制御部１５は、カメラ部１４が撮像したユーザＵの画像に基づいて、ユーザＵが着用している服装を認識する。また、制御部１５は、ユーザＵが着用している服装に合ったおすすめコーディネートまたはおすすめ類似商品を表示部１２に表示させる。「おすすめ類似商品」とは、例えば丈、サイズ感、色などが、ユーザＵが着用している服装、ユーザＵが望んでいる商品等とは異なる商品である。
例えばユーザＵがタイトスカートを着用している場合に、制御部１５は、ユーザＵが着用しているタイトスカートに合ったおすすめコーディネートを表示部１２に表示させたり、ユーザＵが着用しているタイトスカートに類似する商品を表示部１２に表示させたりする。
【００４５】
表示機能付きミラー装置１がリーダー部１３を備えていない他の例では、制御部１５は、カメラ部１４が撮像したユーザＵの画像に基づいて、正面の顔と横顔との違いを認識する。また、制御部１５は、カメラ部１４がユーザＵの正面の顔を撮像した場合に、そのユーザＵに対するおすすめコーディネートまたはおすすめ類似商品を表示部１２に表示させる。一方、カメラ部１４がユーザＵの横顔を撮像した場合には、制御部１５は、そのユーザＵに対する広告を表示部１２に表示させる。そのため、表示機能付きミラー装置１は、ユーザＵが表示機能付きミラー装置１の前を素通りしてしまうことを抑制し、ユーザＵの購買意欲を刺激することができる。
【００４６】
商品を持っているユーザＵに対し、その商品に関する情報（例えば、その商品に関するスタイリング画像Ａ１、レビュー情報Ａ２など）を表示することによって、ユーザＵの満足度が向上し、その商品に対するユーザＵの購買意欲が高まると考えられる。
【００４７】
そこで、第１実施形態の表示機能付きミラー装置１では、上述したように、第１判定部１５Ａは、カメラ部１４が撮像した画像にユーザＵの顔が含まれるか否かを判定する。カメラ部１４が撮像した画像にユーザＵの顔が含まれる場合に、表示部１２は、ユーザＵが持っている商品に取り付けられているＩＣタグをリーダー部１３の前側の位置に誘導する案内表示を行う。ＩＣタグに格納された情報がリーダー部１３によって読み取られた場合に、表示部１２は、スタイリング画像Ａ１、レビュー情報Ａ２などを表示する。つまり、第１実施形態の表示機能付きミラー装置１は、ユーザＵの満足度を向上させる表示を行うことができる。
【００４８】
一方、マジックミラー部１１の前側に位置するユーザＵが、表示部１２による表示が行われる表示状態ではなく、表示部１２による表示が停止されるミラー状態を要求する場合もある。
【００４９】
そこで、第１実施形態の表示機能付きミラー装置１では、上述したように、第２判定部１５Ｂは、ユーザＵによって行われる表示部１２の表示内容を変更するための特定の動作が、カメラ部１４によって撮像された画像に含まれるか否かを判定する。表示部１２の表示内容を変更するための特定の動作が、カメラ部１４によって撮像された画像に含まれる場合に、制御部１５は、表示部１２による表示が行われる表示状態から、表示部１２による表示が停止されるミラー状態への切り替えを行う。つまり、第１実施形態の表示機能付きミラー装置１は、ユーザＵの満足度を向上させる表示を行うことができる。
【００５０】
また、第１実施形態の表示機能付きミラー装置１では、第１判定部１５Ａによる判定と、第２判定部１５Ｂによる判定とが、共に、カメラ部１４が撮像した画像に基づいて行われる。そのため、第１実施形態の表示機能付きミラー装置１では、センサの数の増加を抑制しつつ、ユーザＵの満足度を向上させる表示を行うことができる。
【００５１】
また、第１実施形態の表示機能付きミラー装置１では、上述したように、表示部１２は、商品が着用されている状況を示す画像であるスタイリング画像Ａ１を表示する。そのため、第１実施形態の表示機能付きミラー装置１では、ユーザＵに対してスタイリング画像Ａ１が表示されない場合よりも、その商品に対するユーザＵの購買意欲を向上させることができる。
【００５２】
また、第１実施形態の表示機能付きミラー装置１では、上述したように、表示部１２は、商品を着用した他のユーザによるレビューを示すレビュー情報Ａ２を表示する。そのため、第１実施形態の表示機能付きミラー装置１では、ユーザＵに対してレビュー情報Ａ２が表示されない場合よりも、その商品に対するユーザＵの購買意欲を向上させることができる。
【００５３】
また、第１実施形態の表示機能付きミラー装置１では、上述したように、ユーザＵの手の動きが、表示部１２に表示されている画像のスクロールを要求する動きであると、第３判定部１５Ｃが判定した場合に、スクロール制御部１５Ｄは、表示部１２に表示されている画像をスクロールさせる。そのため、第１実施形態の表示機能付きミラー装置１では、ユーザＵの満足度を向上させる表示を行うことができる。
【００５４】
また、第１実施形態の表示機能付きミラー装置１では、上述したように、第３判定部１５Ｃによる判定も、カメラ部１４が撮像した画像に基づいて行われる。そのため、第１実施形態の表示機能付きミラー装置１では、センサの数の増加を抑制しつつ、ユーザＵの満足度を向上させる表示を行うことができる。
【００５５】
また、第１実施形態の表示機能付きミラー装置１では、上述したように、カメラ部１４が、ユーザＵの頭部よりも上側に配置されている。そのため、ユーザＵがカメラ部１４に違和感を感じてしまうおそれを抑制することができる。
【００５６】
また、第１実施形態の表示機能付きミラー装置１では、上述したように、カメラ部１４の光軸１４Ｌが、水平方向よりも下向きに設定されている。そのため、ユーザＵの顔を認識しつつ、ユーザＵの手を認識することができる。また、カメラ部１４が表示機能付きミラー装置１から離れているユーザを誤検出してしまい、表示部１２による案内表示などが不必要に行われてしまうおそれを抑制することができる。
【００５７】
また、第１実施形態の表示機能付きミラー装置１では、複数のユーザの平均身長が考慮され、マジックミラー部１１、表示部１２、リーダー部１３およびカメラ部１４の位置、寸法などが設定されている。詳細には、ユーザＵと表示機能付きミラー装置１との距離が、通常の姿見を利用するユーザと姿見との距離と等しいことを前提として、マジックミラー部１１、表示部１２、リーダー部１３およびカメラ部１４の位置、寸法などが設定されている。つまり、ユーザＵと表示機能付きミラー装置１との距離を、通常の姿見を利用するユーザと姿見との距離より小さくしなくても、第１判定部１５Ａ、第２判定部１５Ｂおよび第３判定部１５Ｃは、カメラ部１４が撮像した画像に基づいて判定を行うことができ、リーダー部１３は、ＩＣタグに格納された情報を読み取ることができる。
【００５８】
［第２実施形態］
第２実施形態の表示機能付きミラー装置１は、後述する点を除き、上述した第１実施形態の表示機能付きミラー装置１と同様に構成されている。従って、第２実施形態の表示機能付きミラー装置１によれば、後述する点を除き、上述した第１実施形態の表示機能付きミラー装置１と同様の効果を奏することができる。
【００５９】
図８は第２実施形態の表示機能付きミラー装置１が適用されたシステムＳの機能構成の一例を示す図である。上述したように、第１実施形態の表示機能付きミラー装置１は、マジックミラー部１１と、表示部１２と、リーダー部１３と、カメラ部１４と、制御部１５とを備えており、制御部１５が、第１判定部１５Ａと、第２判定部１５Ｂと、第３判定部１５Ｃと、スクロール制御部１５Ｄとを備えている。一方、第２実施形態の表示機能付きミラー装置１では、制御部１５が、それらに加え、第１推定部１５Ｅと、第２推定部１５Ｆと、合成部１５Ｇとを備えている。
【００６０】
図８に示す例では、第１推定部１５Ｅは、カメラ部１４が撮像した画像に基づいて、カメラ部１４が撮像した画像に含まれるユーザＵの性別および年齢を推定する。表示部１２は、例えばスクロール制御部１５Ｄによるスクロールが行われた場合に、第１推定部１５Ｅによって推定された性別および年齢のユーザＵに対するおすすめコーディネートまたはおすすめ類似商品を表示する。
【００６１】
第２推定部１５Ｆは、カメラ部１４が撮像した画像に基づいて、カメラ部１４が撮像した画像に含まれるユーザの体形を推定する。表示部１２は、例えばスクロール制御部１５Ｄによるスクロールが行われた場合に、第２推定部１５Ｆによって推定された体形のユーザＵに対する商品のおすすめサイズを表示する。
【００６２】
合成部１５Ｇは、カメラ部１４によって撮像されたユーザＵの画像と、ユーザＵが持っている商品の画像とを合成する。表示部１２は、例えばスクロール制御部１５Ｄによるスクロールが行われた場合に、その商品がユーザＵによって着用されている状況を示す合成画像を表示する。
【００６３】
第２実施形態の表示機能付きミラー装置１は、入力部１７を更に備えている。入力部１７は、ユーザＵが持っている商品をユーザＵが着用するシーンまたはユーザＵの希望予算に関する情報の入力を受け付ける。入力部１７は、例えばタッチパネル、キーボード、マウスなどである。制御部１５は、入力部１７に入力された情報に基づいて、ユーザＵに対するおすすめコーディネートまたはおすすめ類似商品を決定する。表示部１２は、例えばスクロール制御部１５Ｄによるスクロールが行われた場合に、制御部１５が決定したコーディネートまたはおすすめ類似商品を表示する。
【００６４】
また、第２実施形態の表示機能付きミラー装置１は、報知部１８を更に備えている。入力部１７は、店員（店内スタッフ、おしゃリスタ）による接客を要求するユーザＵからの要求も受け付ける。入力部１７が、店員による接客を要求するユーザＵからの要求を受け付けた場合に、報知部１８は、ユーザＵからの接客要求があった旨を店員に報知する。そのため、ユーザは店員にコーディネート相談をすることができる。
【００６５】
また、第２実施形態の表示機能付きミラー装置１は、カウンセリング機能部１６を更に備えている。カウンセリング機能部１６は、例えばＷｅｂ等を通してコーディネートまたはショッピングに関するリアルタイムで高度なカウンセリングを実現する。カウンセリング機能部１６は、ユーザインタフェース部１６Ａを備えている。ユーザインタフェース部１６Ａは、ユーザＵとの会話を行う、あるいは、ユーザＵによる操作入力を受け付ける。ユーザインタフェース部１６Ａは、例えばスピーカ、マイク、タッチパネル、キーボード、マウス、ディスプレイ（ディスプレイは表示部１２と兼用でもよい。）などである。カウンセリング機能部１６は、カメラ部１４が撮像した画像にユーザＵの顔が含まれると第１判定部１５Ａが判定した場合に、コーディネートまたはショッピングに関するユーザＵからの悩み相談に対応する。カウンセリング機能部１６は、例えば音声認識、文章要約、ＦＡＱ情報作成等の機能を備え、それらを適宜組み合わせることによって、コーディネートまたはショッピングに関するリアルタイムで高度なカウンセリングを実現する。
【００６６】
図８に示す例では、表示部１２は、第２実施形態の表示機能付きミラー装置１が設置された販売店ＳＴの店内レイアウトなどを示す店内マップを表示する。そのため、欲しい商品、気になる商品などを販売店ＳＴ内で見つけられないユーザＵの利便性を向上させることができる。
【００６７】
また、表示部１２は、有名人のおすすめコーディネート情報を表示する。入力部１７は、おすすめコーディネートまたはおすすめ類似商品、おすすめサイズ、カウンセリング機能部１６によるカウンセリング、または、おすすめコーディネートまたはおすすめ類似商品の情報が役に立ったか否かのユーザＵによる評価の入力を受け付ける。
【００６８】
また、第２実施形態の表示機能付きミラー装置１は、学習部１９を更に備えている。学習部１９は、入力部１７が受け付けたユーザＵによる評価の内容を学習する。また、学習部１９は、ユーザＵによる評価の内容の学習結果を次回以降のおすすめコーディネートまたはおすすめ類似商品、おすすめサイズ、カウンセリング機能部１６によるカウンセリング、または、おすすめコーディネートまたはおすすめ類似商品の情報の生成に反映させる。
【００６９】
図８に示す例では、システムＳが、第２実施形態の表示機能付きミラー装置１と、サーバ装置Ｓ１と、端末装置Ｓ２と、レジ端末Ｓ３とを備えている。端末装置Ｓ２は、例えばユーザＵによって所持されている。レジ端末Ｓ３は、表示機能付きミラー装置１が設置されている販売店ＳＴ内に配置されている。レジ端末Ｓ３は、通信部Ｓ３Ａと、処理部Ｓ３Ｂとを備えている。表示機能付きミラー装置１と、サーバ装置Ｓ１と、端末装置Ｓ２と、レジ端末Ｓ３とは、例えばネットワークＮＷを介して相互に接続されている。
【００７０】
サーバ装置Ｓ１は、通信部Ｓ１Ａと、処理部Ｓ１Ｂと、記憶部Ｓ１Ｃとを備えている。通信部Ｓ１Ａは、ネットワークＮＷを介して、表示機能付きミラー装置１の通信部２０などとの通信を行う。記憶部Ｓ１Ｃは、ＩＣタグが取り付けられている商品（詳細には、ユーザＵが持っている商品）と同一の商品の在庫状況を記憶している。ＩＣタグに格納された情報が、リーダー部１３によって読み取られた場合に、制御部１５は、ＩＣタグが取り付けられている商品と同一の商品の在庫状況を記憶部Ｓ１Ｃから取得する。また、表示部１２は、ＩＣタグが取り付けられている商品と同一の商品の在庫状況を表示する。そのため、例えば販売店ＳＴ内にあるその商品の数が、ユーザＵの希望購入数より少ない場合であって、その商品と同一の商品の在庫が販売店ＳＴ外にある場合に、ユーザＵは在庫商品の確保を店員に要求することができる。
【００７１】
また、記憶部Ｓ１Ｃは、在庫がない商品の画像を記憶している。例えば、在庫がない商品の取り寄せをユーザＵが検討している場合、制御部１５は、在庫がない商品の画像を記憶部Ｓ１Ｃから取得する。また、合成部１５Ｇは、カメラ部１４によって撮像されたユーザＵの画像と、在庫がない商品の画像とを合成する。表示部１２は、在庫がない商品がユーザＵによって着用されている状況を示す合成画像を表示する。そのため、在庫がない商品に対するユーザＵの購買意欲を向上させることができる。
【００７２】
端末装置Ｓ２は、通信部Ｓ２Ａと、処理部Ｓ２Ｂと、ディスプレイＳ２Ｃとを備えている。通信部Ｓ２Ａは、ネットワークＮＷを介して、表示機能付きミラー装置１の通信部２０などとの通信を行う。ユーザＵが、例えば購入を検討している商品の販売店ＳＴの公式アプリをダウンロードした端末装置Ｓ２を所持している場合に、リーダー部１３は、その商品に取り付けられているＩＣタグに格納された情報を読み取り、かつ、カメラ部１４は、端末装置Ｓ２のディスプレイＳ２Ｃに表示された公式アプリの会員証情報を読み取る。表示部１２に表示される例えばスタイリング画像Ａ１およびレビュー情報Ａ２は、記憶部Ｓ１Ｃに記憶される。端末装置Ｓ２の処理部Ｓ２Ｂは、スタイリング画像Ａ１およびレビュー情報Ａ２を記憶部Ｓ１Ｃから取得する。また、処理部Ｓ２Ｂは、取得したスタイリング画像Ａ１およびレビュー情報Ａ２をディスプレイＳ２Ｃに表示する。
【００７３】
第２実施形態の表示機能付きミラー装置１は、ゲーム機能を備えている。カメラ部１４が撮像した画像にユーザＵの顔が含まれると第１判定部１５Ａが判定した場合に、表示部１２は、ゲームの画面を表示する。ユーザＵがゲームをプレイした場合に、サーバ装置Ｓ１は、ネットワークＮＷを介してユーザＵの端末装置Ｓ２にクーポンまたはインセンティブを送信する。
【００７４】
レジ端末Ｓ３において例えばユーザＵによって購入された商品の情報は、購入履歴情報としてサーバ装置Ｓ１の記憶部Ｓ１Ｃに記憶されている。カメラ部１４が、ユーザＵの端末装置Ｓ２のディスプレイＳ２Ｃに表示された公式アプリの会員証情報を読み取った場合に、サーバ装置Ｓ１の処理部Ｓ１Ｂは、購入履歴情報に基づいて、その会員（つまり、ユーザＵ）に対するおすすめ商品の情報であるレコメンド情報を生成する。表示部１２は、処理部Ｓ１Ｂによって生成されたレコメンド情報を表示する。そのため、ユーザＵの購買意欲を向上させることができる。
【００７５】
ユーザＵが持っている商品に取り付けられているＩＣタグに格納された情報が、リーダー部１３によって読み取られた場合に、制御部１５は、ＩＣタグが取り付けられている商品（つまり、ユーザＵが持っている商品）と同一の商品の購入履歴情報を記憶部Ｓ１Ｃから取得する。表示部１２は、ユーザＵが持っている商品と同一の商品の購入者数をリアルタイム情報として表示する。そのため、ユーザＵは、その商品と同一の商品を全国で何人が買っているかを把握することができる。
【００７６】
商品に取り付けられているＩＣタグに格納された情報が、リーダー部１３によって読み取られる毎に、商品に取り付けられているＩＣタグに格納された情報がリーダー部１３によって読み取られたことを示す情報が、記憶部Ｓ１Ｃに記憶される。ユーザＵが持っている商品に取り付けられているＩＣタグに格納された情報が、リーダー部１３によって読み取られた場合に、制御部１５は、その商品に取り付けられているＩＣタグに格納された情報がリーダー部１３によって過去に読み取られた回数を記憶部Ｓ１Ｃから取得する。表示部１２は、その商品に取り付けられているＩＣタグに格納された情報がリーダー部１３によって過去に読み取られた回数をリアルタイム情報として表示する。そのため、ユーザＵは、その商品の注目度を把握することができる。
【００７７】
以上、本発明の実施形態について図面を参照して詳述したが、具体的な構成はこの実施形態に限られるものではなく、本発明の要旨を逸脱しない範囲の設計変更等も含まれる。
【符号の説明】
【００７８】
１…表示機能付きミラー装置、１１…マジックミラー部、１１Ａ…切り欠き部、１２…表示部、１３…リーダー部、１４…カメラ部、１４Ｌ…光軸、１５…制御部、１５Ａ…第１判定部、１５Ｂ…第２判定部、１５Ｃ…第３判定部、１５Ｄ…スクロール制御部、１５Ｅ…第１推定部、１５Ｆ…第２推定部、１５Ｇ…合成部、１６…カウンセリング機能部、１６Ａ…ユーザインタフェース部、１７…入力部、１８…報知部、１９…学習部、２０…通信部、Ｓ…システム、Ｓ１…サーバ装置、Ｓ１Ａ…通信部、Ｓ１Ｂ…処理部、Ｓ１Ｃ…記憶部、Ｓ２…端末装置、Ｓ２Ａ…通信部、Ｓ２Ｂ…処理部、Ｓ２Ｃ…ディスプレイ、Ｓ３…レジ端末、Ｓ３Ａ…通信部、Ｓ３Ｂ…処理部
【図１】
2019039084.tif 000003
【図２】
2019039084.tif 000004
【図３】
2019039084.tif 000005
【図４】
2019039084.tif 000006
【図５】
2019039084.tif 000007
【図６】
2019039084.tif 000008
【図７】
2019039084.tif 000009
【図８】
2019039084.tif 000010